(57)【要約】【課題】シート止め材をＴ字交差形状に差し込み接続するＴ形ジョイントを提供する。【解決手段】平面方向に見ると、シート止め材ｋを、Ｔ字の脚と同方向に差し込み接続可能なＴ字脚接続部１と、Ｔ字の頭と同方向にシート止め材ｋを貫通状態に接続可能なＴ字頭接続部２とでほぼＴ字形に形成されている。Ｔ字脚接続部１には、その両側縁部にシート止め材ｋの両側壁下部の外面を抱持する抱持辺３が形成されている。Ｔ字頭接続部２には、Ｔ字脚接続部１と直交する上辺および左右に分かれた下辺にそれぞれ、シート止め材ｋの両側壁下部の外面を抱持する抱持辺が、上辺にはその全長に及ぶ抱持辺５が形成され、左右に分かれた二つの下辺にもそれぞれ抱持辺６、６が形成され、そして、下辺の抱持辺６、６の上半分は外向きに湾曲させた誘い込み部９に形成されている。【選択図】図１
2008306960.tif 000002
【特許請求の範囲】
【請求項１】
底面壁に続く両側壁が略対称形状に内側へ傾いて横断面をハの字形状とされ、開口縁にカール部が形成されて成るシート止め材をＴ字交差形状に接続するＴ形ジョイントにおいて、
平面方向に見ると、前記シート止め材を、Ｔ字の脚と同方向に差し込み接続可能なＴ字脚接続部と、Ｔ字の頭と同方向にシート止め材を貫通状態に接続可能なＴ字頭接続部とでほぼＴ字形に形成されており、
前記Ｔ字脚接続部には、その両側縁部にシート止め材の両側壁下部の外面を抱持する、同外面と相似形の抱持辺が形成され、
前記Ｔ字頭接続部には、前記Ｔ字脚接続部と直交する上辺、および左右に分かれた二つの下辺にそれぞれ、同じくシート止め材の両側壁下部の外面を抱持する、同外面と相似形の抱持辺が、前記上辺にはその全長に及ぶ抱持辺が、左右に分かれた二つの下辺にもそれぞれ抱持辺が形成されていると共に、下辺の抱持辺の上半分は外向きに湾曲させた誘い込み部に形成されていることを特徴とする、シート止め材のＴ形ジョイント。
【請求項２】
上記Ｔ字脚接続部とＴ字頭接続部それぞれの底壁に、それぞれの接続部へ差し込まれたシート止め材の底壁に当たり、接続状態を安定化させる凸部、及び上記Ｔ字脚接続部及びＴ字頭接続部双方の底壁にまたがるように形成されたリブ、及びビス止め用下孔がそれぞれ設けられていることを特徴とする、請求項１に記載したシート止め材のＴ形ジョイント。
【発明の詳細な説明】
【技術分野】
【０００１】
この発明は、いわゆるシート止め材をＴ字交差形状に差し込み接続するＴ形ジョイントの技術分野に属する。
【背景技術】
【０００２】
薄いプラスチックシートを覆膜に使用して構成される、いわゆるビニールハウス等の構築に際しては、一例を図２に示したように、底面壁ａに続く両側壁ｂ、ｂが略対称形状に内側へ傾けられて横断面がハの字形状のシート止め溝ｄが形成され、開口縁にカール部ｃが形成されて成る周知のシート止め材ｋが、プラスチックシートの止着手段として至便に使用されている。プラスチックシートは、シート止め材ｋのシート止め溝ｄの中へ弾性な波形状の止め線ｍと共に押し込み止着される。
次に、上記のシート止め材ｋを、ビニールハウス等の骨組みへ、プラスチックシートの止着作業の利便性と止着効果の連続性を確保可能に取り付け固定する手段として、シート止め材用の各種のジョイントが開発され、実用に供されている。その中で、シート止め材を共通平面上でＴ字交差形状に接続する必要のある場所には、一例として下記の非特許文献１に開示されたＴ形ジョイントが一般的に汎用されている。
【０００３】
上記非特許文献１のＴ形ジョイント２０を、図５に例示した。上記シート止め材ｋをＴ字の脚と同方向に差し込み接続可能なＴ字脚接続部２１と、Ｔ字の頭と同方向にシート止め材ｋを貫通状態に接続可能なＴ字頭接続部２２とでほぼＴ字形状に形成されている。前記Ｔ字脚接続部２１には、その両側縁部に、シート止め材ｋの両側壁下部の外面を抱持する、同外面と相似形の抱持辺２３が形成され、同抱持辺２３の入口部分には、当該抱持辺２３の上半分を外向きに少し湾曲した誘い込み部２４が形成されている。つまり、このＴ字脚接続部２１へは、シート止め材ｋが、前記誘い込み部２４を利用して矢印Ｐ方向に差し込まれ接続の作業が行われる。
一方、上記Ｔ字頭接続部２２には、上記Ｔ字脚接続部２１と直交する上辺側に、やはりシート止め材ｋの一方の側壁下部の外面を抱持する、同外面と相似形の抱持辺２５が形成されている。また、前記上辺の抱持辺２５と相対峙してシート止め材の反対側の側壁下部の外面を抱持する下辺側の抱持辺２６は、前記Ｔ字脚接続部２１とＴ字頭接続部２２との繋ぎ部分２７の板材中央部を打ち起こして形成されている。
上記Ｔ字頭接続部２２に対するシート止め材ｋの接続作業は、図２から類推できるように、シート止め材ｋの一方の側壁下部の外面を上辺側の抱持辺２５の内側へ矢印Ｑのように入れ込み、反対側の側壁下部は下辺側の抱持辺２６の上へあずけて、金槌又はこれに代わる類似の工具で叩き込むか、若しくはレンチのような工具で挟み付けて静的に押し込む方法が実施される。
【０００４】
【非特許文献１】東都興業株式会社のカタログ「ビニペット（登録商標）部品説明図                ２００７年５月版のＴ型ジョイント」
【発明の開示】
【発明が解決しようとする課題】
【０００５】
上記非特許文献１に開示され図５に示した従来のＴ形ジョイント２０は、シート止め材ｋをＴ字交差形状に接続する用途及び機能をそれなりに働くので、平準化部品として当業界で高評価され、広く実用に供されている。
しかし、Ｔ字頭接続部２２に形成した下辺側の抱持辺２６は、繋ぎ部分２７の板材中央部を打ち起こして形成されるので、同下辺側抱持辺２６の長さＬ１の確保に板取り設計上の限界があり、必要十分な長さを確保し難く、シート止め材ｋの接続・固定の性能を十分に大きくできない欠点がある。
その一方で、Ｔ字頭接続部２２に設計上許容された幅寸Ｌ２に対して、下辺側の抱持辺２６は、繋ぎ部分２７の板材中央部を打ち起こして形成するため、繋ぎ部分２７として残る有効幅寸Ｌ３は、前記の例で言えば１／２（Ｌ２−Ｌ１）でしかなく小さいから、この繋ぎ部分２７は面外方向の曲げ剛性が劣る欠点があり、構造上この欠点を根本的に解消することは難しい。前記の強度的な欠点は、図示した例のように打ち出しリブ２８をプレス加工して補強する程度ではなかなか補完しがたい。
その上、下辺側の抱持辺２６は、上記したように繋ぎ部分２７の板幅中央部を打ち起こして形成されるので、Ｔ字頭接続部２２に対するシート止め材ｋの接続作業、とりわけレンチのような工具で挟み付けてシート止め材ｋを下辺側の抱持辺２６の内側へ静的に押し込む作業を実施したくても、下辺側の抱持辺２６が中央寄りに位置して繋ぎ部分２７の外形線から遠い関係上、通常のレンチの挟み顎の有効長さではなかなか届かず、作業しにくい欠点がある。
【０００６】
本発明の目的は、Ｔ字頭接続部を形成する下辺側の抱持辺によるシート止め材の接続・固定の強度的な性能を十分に大きくでき、しかもＴ字脚接続部の繋ぎ部分の特に面外方向の曲げ剛性を高めることに有利な構成であり、その上、レンチのような工具で挟み付けてシート止め材を下辺側の抱持辺の内側へ押し込む作業が容易な構成のＴ形ジョイントを提供することである。
【課題を解決するための手段】
【０００７】
上述した従来技術の課題を解決するための手段として、請求項１に記載した発明に係るシート止め材のＴ形ジョイントは、
底面壁に続く両側壁が略対称形状に内側へ傾いて横断面をハの字形状とされ、開口縁にカール部が形成されて成るシート止め材ｋをＴ字交差形状に接続するＴ形ジョイントにおいて、
平面方向に見ると、前記シート止め材ｋを、Ｔ字の脚と同方向に差し込み接続可能なＴ字脚接続部１と、Ｔ字の頭と同方向にシート止め材ｋを貫通状態に接続可能なＴ字頭接続部２とでほぼＴ字形に形成されており、
前記Ｔ字脚接続部１には、その両側縁部にシート止め材ｋの両側壁下部の外面を抱持する、同外面と相似形の抱持辺３が形成され、
前記Ｔ字頭接続部２には、前記Ｔ字脚接続部１と直交する上辺および左右に分かれた下辺にそれぞれ、同じくシート止め材ｋの両側壁下部の外面を抱持する、同外面と相似形の抱持辺が、上辺にはその全長に及ぶ抱持辺５が形成され、左右に分かれた二つの下辺にもそれぞれ抱持辺６、６が形成され、そして、下辺の抱持辺６、６の上半分は外向きに湾曲させた誘い込み部９に形成されていることを特徴とする。
【０００８】
請求項２に記載した発明は、請求項１に記載した発明に係るシート止め材のＴ形ジョイントにおいて、
上記Ｔ字脚接続部１とＴ字頭接続部２それぞれの底壁に、それぞれの接続部へ差し込まれたシート止め材ｋの底壁に当たり、接続状態を安定化させる凸部１２と１３、及び上記Ｔ字脚接続部１及びＴ字頭接続部２双方の底壁にまたがるように形成されたリブ１１、及びビス止め用下孔１４がそれぞれ設けられていることを特徴とする。
【発明の効果】
【０００９】
本発明のＴ形ジョイント１０は、Ｔ字頭接続部２には、左右に分かれた二つの下辺にそれぞれ、シート止め材ｋの両側壁下部の外面を抱持する、同外面と相似形の抱持辺６、６を二つ形成するので、Ｔ字頭接続部２におけるシート止め材ｋの保持・固定の機能は、間隔を開けた二つの抱持辺６、６で行うことになり、保持・固定の強度が十分に大きく、堅固なビニールハウス等の構築に寄与する。
その一方で、Ｔ字頭接続部２とＴ字脚接続部１との間のいわゆる繋ぎ部分７は、設計上決められた板幅寸法で無傷に形成できるので、同繋ぎ部分７の面外力に対する強度、剛性を大きく確保でき、やはり堅固なビニールハウス等の構築に寄与する。
その上、Ｔ字頭接続部２の左右に分かれた二つの下辺にそれぞれ抱持辺６、６を形成すると共に、同下辺の抱持辺６、６の上半分は外向きに湾曲させた誘い込み部９に形成しているので、レンチのような工具でシート止め材ｋを直近に効果的に挟み付けることができ、下辺側の抱持辺６の内側へシート止め材ｋを静的に押し込む接続作業を極めて容易、確実に行うことができる。
【発明を実施するための最良の形態】
【００１０】
平面方向に見ると、シート止め材ｋを、Ｔ字の脚と同方向に差し込み接続可能なＴ字脚接続部１と、Ｔ字の頭と同方向にシート止め材ｋを貫通状態に接続可能なＴ字頭接続部２とをほぼＴ字形に形成する。
前記Ｔ字脚接続部１には、その両側縁部にシート止め材ｋの両側壁下部の外面を抱持する、同外面と相似形の抱持辺３を形成する。
前記Ｔ字頭接続部２には、前記Ｔ字脚接続部１と直交する上辺および左右に分かれた二つの下辺にそれぞれ、同じくシート止め材ｋの両側壁下部の外面を抱持する、同外面と相似形の抱持辺５、６を、上辺にはその全長に及ぶ抱持辺５を形成し、左右に分かれた二つの下辺にもそれぞれ抱持辺６、６を形成する。そして、下辺の抱持辺６の上半分は、外向きに湾曲させた誘い込み部９に形成する。
【実施例１】
【００１１】
以下に、本発明を図示した実施例に基づいて説明する。
本発明に係るシート止め材のＴ形ジョイント１０は、図２に例示したように、底面壁ａに続く両側壁ｂ、ｂが略対称形状に内側へ傾けられて横断面がハの字形状のシート止め溝ｄが形成され、両側壁ｂ、ｂの開口縁にカール部ｃが形成されて成るシート止め材ｋを、Ｔ字交差形状に接続する用途、機能のジョイントで、図１〜図４に実施例を示したとおり、基本形状は、図５に示した従来例とは大差ない。
即ち、鉄板あるいはアルミニューム板のプレス加工として、平面方向に見ると、上記シート止め材ｋをＴ字の脚と同方向に差し込み接続可能なＴ字脚接続部１と、Ｔ字の頭と同方向にもう１本のシート止め材ｋを貫通状態に接続することが可能なＴ字頭接続部２とでほぼＴ字形に形成されている。
【００１２】
上記のＴ字脚接続部１には、その両側縁部に、シート止め材ｋの両側壁下部の外面を抱持する、同外面と相似形の抱持辺３、３が形成され、同抱持辺３の入口部分には、当該抱持辺３の上半部を外向きに湾曲させて、シート止め材ｋを差し込み接続する際の誘い込み部４が形成されている。
また、前記Ｔ字頭接続部２にも、前記Ｔ字脚接続部１と直交する上辺および左右に分かれた二つの下辺にそれぞれ、同じくシート止め材ｋの両側壁下部の外面を抱持する、同外面と相似形の抱持辺５、６が、上辺にはその全長に及ぶ抱持辺５が、そして、左右に分かれた二つの下辺にもそれぞれ抱持辺６、６が形成されている。そして、同下辺の二つの抱持辺６、６の上半分は、外向きに湾曲させてシート止め材ｋを入れ込む際の誘い込み部９に形成されている。
【００１３】
上記の通り、本発明のＴ形ジョイント１０の場合は、Ｔ字頭接続部２と前記Ｔ字脚接続部１との繋ぎ部分７を無傷の状態で構成する。そして、繋ぎ部分７の左右両側に分かれた二つの下辺にそれぞれ、Ｔ字頭接続部２の抱持辺６、６を形成するから、同繋ぎ部分７の面外力に対する強度、剛性を大きく確保でき、堅固なビニールハウス等の構築に寄与する。したがって、当該Ｔ形ジョイント１０のプレス加工のための板取り設計を効率的に経済的に行うことができる。
前記下辺の二つの抱持辺６、６は、前記繋ぎ部分７の幅寸相当の間隔をあけてシート止め材ｋを抱持し固定する構成なので、特に繋ぎ部分７の板面と平行ないわゆる面内におけるシート止め材ｋの回転や曲げに対する抵抗力が大きく、やはり堅固なビニールハウス等の構築に寄与する。
次に、Ｔ字頭接続部２の下辺の左右二つの抱持辺６、６はそれぞれ、Ｔ字脚接続部１との繋ぎ部分７とで間に形成するいわゆる内隅部分を作業空間に利用して、Ｔ字頭接続部２へ入れ込み接続するシート止め材ｋを、レンチのような工具で直接的に至近距離で挟み付けて下辺側の抱持辺６の内側へ静的に押し込む作業を軽便に実施できる。即ち、レンチの使用に障害物のない構成であるため、レンチの顎部で直接シート止め材ｋを挟み付けることができ、同シート止め材ｋの接続作業を極めて容易、確実に行うことができる。かくして２本のシート止め材ｋをＴ字交差形状に接続を完成した状態を、図３に示す。
【００１４】
なお、図１、図２、図４中の符号１１は、繋ぎ部分７およびＴ字頭接続部２の剛性強化を目的として形成した膨らみ状のリブ、１２および１３はＴ字脚接続部１へ、又はＴ字頭接続部２へ接続したシート止め材ｋの底辺との遊びを解消して安定性を高める凸部、１４は当該Ｔ形ジョイント１０をハウス骨組み材等へビス止めするための下孔である。
【００１５】
以上に本発明を実施例に基づいて説明したが、もちろん、本発明は上述の実施例に限定されるものではない。本発明の思想原理と要旨を逸脱しない範囲において、当業者が必要に応じて行う設計変更などに、種々な態様で実施できることを、ここに念のため付言する次第である。
【図面の簡単な説明】
【００１６】
【図１】本発明に係るＴ形ジョイントの実施例を示した斜視図である。
【図２】前記Ｔ形ジョイントとこれに接続するシート止め材との関係を示した斜視図である。
【図３】前記Ｔ形ジョイントにシート止め材を接続した状態を示した斜視図である。
【図４】Ａ〜ＥはＴ形ジョイントの平面図と底面図、正面図、背面図および右側面図であり、同ＦはＡ図のｆ−ｆ断面図である。
【図５】従来のＴ形ジョイントの一例を示した斜視図である。
【符号の説明】
【００１７】
ｋ      シート止め材
１      Ｔ字脚接続部
２      Ｔ字頭接続部
３      抱持辺
５      抱持辺
６      抱持辺
９      誘い込み部
【図１】
2008306960.tif 000003
【図２】
2008306960.tif 000004
【図３】
2008306960.tif 000005
【図４】
2008306960.tif 000006
【図５】
2008306960.tif 000007